(57)【特許請求の範囲】
【請求項１】
キャスター（１１）の外側を覆い、前記キャスター（１１）のホイール軸（１２）に下段が結合され、一側面で上部から下部側に延びた長形のガイド孔（１３）が通孔されたブラケット（１０）と、
前記ブラケット（１０）に結合する前記キャスター（１１）のホイール軸（１２）に結合され、縁部に沿って放射状に多数のストップギア突起（２１）が形成されたストッパーホイール（２０）と、
前記ブラケット（１０）のガイド孔（１３）側に貫通連結する締結ボルト（３１）により締結されて、前記ブラケット（１０）と前記キャスター（１１）との間に位置し、前記ストッパーホイール（２０）のストップギア突起（２１）と対応するロッキング片（３２）が下段に形成されたロッキングキー（３０）と、
前記ブラケット（１０）の外側に位置し、締結ピン（４１）により前記ブラケット（１０）に締結され、前記ブラケット（１０）のガイド孔（１３）に貫通締結された締結ボルト（３１）が引き込まれる長形の引込孔（４２）が形成され、下降または上昇させられた場合に前記締結ピン（４１）を中心にして回転することによって前記締結ボルト（３１）を前記ガイド孔（１３）に沿って上下移動させてロッキングキー（３０）を昇降させるロッキング部（４０）と、を含んで形成され、
前記ロッキングキー（３０）は、前記ロッキング部（４０）が下降させられることによって前記ストッパーホイール（２０）に下降し、前記ロッキング部（４０）が上昇させられることによって前記ストッパーホイール（２０）から上昇することを特徴とする、キャスターのストッパー装置。
【請求項２】
前記ロッキング部（４０）は、使用者の動作によって下降または上昇させられることを特徴とする、請求項１に記載のキャスターのストッパー装置。
【請求項３】
前記ブラケット（１０）の一面にはロッキング溝（１４）とアンロッキング溝（１５）がさらに形成され、
前記ロッキング部（４０）には、このロッキング部（４０）の回転による上下移動によって、前記ロッキング溝（１４）又はアンロッキング溝（１５）に引き込まれるボール（４３）と、
前記ボール（４３）を支持するスプリング（４４）と、
前記スプリング（４４）の張力を調節する調節ボルト（４５）と、
前記ボール（４３）、前記スプリング（４４）、及び前記調節ボルト（４５）が引き込まれて収容される受け入れ部（４６）がさらに配設されることを特徴とする、請求項１に記載のキャスターのストッパー装置。
【発明の詳細な説明】
【技術分野】
【０００１】
本発明は、カート、ワゴン、構造物の移動、又は重量物移送手段の下部に取り付けられるキャスターのストッパー装置に関し、より詳細にはキャスターの一面にストッパーホイールが形成され、ストッパーホイールにかみ合うロッキングキーをキャスターのブラケットに形成して、ロッキングキーの下降によってストッパーホイールとロッキングキーとがかみ合ってロッキングされ、ロッキングキーの上昇によってストッパーホイールとロッキングキーとがアンロッキングされるようにして、キャスターの強力な停止作用を可能にすることによって、停止時にキャスターが転がる現象を防止し、制動力を大幅に向上させたキャスターのストッパー装置に関する。
【背景技術】
【０００２】
一般に、ピアノ、椅子、病院で用いられる患者用の移動可能なベッド及び患者移送用ベッド、カート、作業用カート等はもちろん、各種産業現場での機械装置の製品の下部には、キャスターが取り付けられており、そのため、重い物品や製品又は機械装置の移送を行い易くなる。
【０００３】
また、このようなキャスター、すなわち車輪には、車輪が転がらないようにするストッパー又はブレーキが取り付けられている。このようなストッパーは、先に挙げた各製品の前方、後方の脚全てには取り付けられておらず、概ね後方の片側の脚にだけ取り付けられているが、これは前方又は後方に取り付けられているキャスターの車輪だけが転がらないようにすれば、製品を停止させることができるからである。
【０００４】
このようなストッパー又はブレーキが取り付けられているキャスターは、ストッパー及びブレーキが取り付けられていないキャスターよりも価格が高いため、先に挙げた製品を生産する業者としては、価格が高い制御式キャスターを前方、後方の脚全部に取り付けた製品のみを生産しないで、制御式キャスターと非制御式キャスターの二種類を共に生産している。
【０００５】
そして、キャスターは、ヨークフレームを回転可能に支持する軸受の品質によって、耐用年数が大きく変化する。
【０００６】
例えば、軸受の品質が良くない場合にはキャスターの耐用年数は短くなり、軸受の品質が良い場合には耐用年数が長くなる。従って、ピアノ、椅子、移動式ベッド等の製品を生産する製品生産業者は、耐用年数が長くなる軸受が使われたキャスターを選択して製品を生産するようになる。
【０００７】
従来の制御式キャスターは、ヨークフレームに回転可能に結合されるキャスター軸にストッパー又はブレーキが予め取り付けられている構造になっていることが多い。そのため、制御式キャスターのヨークフレームは、ストッパー又はブレーキ装置を収容しなければならないため、ストッパー又はブレーキを持たない非制御式キャスターのヨークフレームよりも大きい規格で形成されなければならない。
【０００８】
そのため、制御式キャスターと非制御式キャスターとは、ヨークフレームの規格が互いに異なるだけでなく構造においても異なるため、これらキャスターは互いに異なる製造工程を経て別々に生産されるしかなかった。
【０００９】
前記のように、制御式キャスターと非制御式キャスターとは、大きさと構造が互いに異なるため、ピアノ、椅子、移動式ベッド等を生産する製品生産業者は、ストッパー又はブレーキが設けられているものと設けられていないものの構造及び大きさに合わせて、製品の脚の構造に対する設計を別に行わなければならず、製品の設計費用の増加に繋がる。また、前述した製品を生産する際、制御式キャスターと非制御式キャスターを正確に選別して、取り付け設置しなければならず、製品の組み立て工程が煩雑になり、生産性が低下することが問題点として指摘されている。
【００１０】
一方、製品生産業者で、制御式キャスターに使われた軸受は品質が良くないが、非制御式キャスターに使われた軸受の品質は良かった場合、制御式キャスターが取り付けられた脚に、非制御式キャスターを交換して製品を生産することができないという問題点がある。従って、近年、非制御式キャスター、すなわちキャスターのブラケットに取り付けられてキャスターを制御するストッパーが提案されている。
【００１１】
例えば、韓国公開特許第１０−２００５−０００６７２８号のキャスターストッパーが創出されている。これはピアノ、椅子、移動式ベッド、カートのような多種の製品の各脚に締結する締結ボルトと軸受支持部が取り付けられているヨークフレームと、前記ヨークフレームに回転が自由に取り付けられる車輪で構成されるキャスターにおいて、前記ヨークフレームの一側は、前期軸受支持部の反対側外表面を覆うように、組み立て式で結合される上面と左右側面が一体で形成されており、前記上面の後段には、車輪に弾力的に制動をかけるために後方に向かって下向きに傾いて突出している弾性制動片と、前記左右の側面それぞれの後段には、後方に向かって平行するように突出した両側ブラケットと一体で形成されている固定具と、前記固定具の両側ブラケットに両端が固定設置される軸ピンによって回転可能に取り付けられたまま、前記弾性制動片を弾力的に押圧する軸受部と押圧板とが一体で形成されている作動具と、で構成されている。
【００１２】
従って、押圧板を押圧して、押圧板がキャスターの表面に密着することによって、キャスターの転がり動作が停止するようにしている。
【００１３】
しかし、このような従来技術の場合、押圧板がキャスターの表面に密着することによってキャスターの転がり動作が制動されるため、実質的な制動力が大きく現れず、押圧板を押圧して制動をかけてもキャスターが転がってしまう問題点がある。また、作業現場の条件により各種の汚れや雨天時の水分が車輪の表面に付着する場合には、押圧板とキャスターの表面との密着力が大きく落ちるため、押圧板による制動力が顕著に落ちる問題点があるだけでなく、重量物を積載時には傾斜路面で危険を誘発させる一原因になっている。
【発明の概要】
【発明が解決しようとする課題】
【００１４】
本発明は、従来キャスターのストッパー装置が持った問題点を解決するためになされたものであり、制動がキャスターの表面に対する密着によっては行われず、キャスターのホイールと連結したストッパーホイールによって制動力が生じるようにして、ストッパーホイールの停止動作によってキャスターの転がり動作を停止できるようにすることで、キャスターの表面摩擦力によって生じる従来制動装置の問題点を解決するだけでなく、ロッキングキーとストッパーホイールとのロッキング及びアンロッキング動作によって制動が行われたり解除されたりすることで、制動力の向上と共に使い易さを増して操作し易くし、簡単にキャスターの制動を行えるキャスターのストッパー装置を提供することにその目的がある。
【課題を解決するための手段】
【００１５】
前記目的を達成するための手段として、本発明のキャスターのストッパー装置は、キャスターのホイール軸に下段が結合されて一側面にガイド孔が通孔されたブラケットと、
前記ブラケットに結合するキャスターのホイール軸に結合されて、縁部に沿って放射状に多数のストップギア突起が形成されたストッパーホイールと、
前記ブラケットのガイド孔に貫通連結する締結ボルトによって締結されて、ブラケットとキャスターとの間に位置し、前記ストッパーホイールのストップギア突起と対応するロッキング片が下段に形成されたロッキングキーと、
前記ブラケットの外面側に位置し、締結ピンによって締結され、前記ブラケットのガイド孔に貫通締結された締結ボルトが引き込まれる引込孔が形成され、前記ロッキングキーと連結した締結ボルトを上下移動させてロッキングキーを昇降させるロッキング部と、が含まれてなる。
【００１６】
前記ストッパーホイールは、前記ホイール軸に軸装されるキャスターの一面に配設され、前記キャスターと一体型で形成される。
【００１７】
また、前記ストッパーホイールは、前記ホイール軸に軸装されるキャスターの一面に配設され、前記キャスターが軸装されるホイール軸に結合する、分離型で配設されてもよい。
【００１８】
また、前記ブラケットの一面には、ロッキング溝とアンロッキング溝がさらに形成され、前記ロッキング部には、このロッキング部の回転による上下移動によって、前記ロッキング溝又はアンロッキング溝に引き込まれるボールと、前記ボールを支持するスプリングと、前記スプリングの張力を調節する調節ボルトと、前記ボール、スプリング、及び調節ボルトが引き込まれて収容される受け入れ部がさらに配設されてもよい。
【発明の効果】
【００１９】
本発明のキャスターのストッパー装置は、キャスターの一側にストッパーホイールがさらに形成されて、前記ストッパーホイールのストップギア突起の間に引き込まれるロッキングキーが、キャスターが軸装されたホイール軸に結合するブラケットの一面に構成されていることによって、ロッキングキーの下降によって、ストッパーホイールが制動されキャスターの制動が行われるため、制動力が大きく向上する。また、キャスターの表面密着力ではなく、キャスターが軸装されたホイール軸の回転を制動することによってキャスターの回転を制御するため、制動力の向上効果だけでなくキャスターの制動性が向上する。
【００２０】
また、ロッキング部を足で踏む動作によってロッキングキーが下降してストッパーホイールの回転を制動することによって、操作性が容易になる。また、手押し車、構造物、カート、機械装置、棚、ピアノ等を移送する移送手段の下部に取り付けられるキャスターに適用できることによって、使用範囲が大きく拡大され、使用性も大きく向上できる。
【図面の簡単な説明】
【００２１】
【図１】本発明のキャスターのストッパー装置の構成を示した構成図である。
【図２】本発明のキャスターのストッパー装置の構成を示した構成断面図である。
【図３】本発明のキャスターのストッパー装置の構成要部であるストッパーホイールがキャスターに配設された様子を示した斜視図である。
【図４】本発明のキャスターのストッパー装置によってロッキングキーがストッパーホイールから上昇した状態を示した構成図である。
【図５】図４の要部拡大図である。
【図６】本発明のキャスターのストッパー装置によってロッキングキーがストッパーホイールに下降した状態を示した構成図である。
【図７】図６の要部拡大図である。
【発明を実施するための形態】
【００２２】
本発明の構成及び作用を、添付された図面に基づいてより具体的に説明する。本発明の説明において、本明細書及び特許請求の範囲に使われた用語や単語は、発明者が自身の発明を最善の方法で説明するために、用語の概念を適切に定義することができるという原則を基に、本発明の技術的思想に符合する意味と概念として解釈されなければならない。
【００２３】
図１は、本発明のキャスターのストッパー装置の構成を示した構成図である。図２は、本発明のキャスターのストッパー装置の構成を示した構成断面図である。図３は、本発明のキャスターのストッパー装置の構成要部であるストッパーホイールが、キャスターに結合された様子を示した斜視図である。図４は、本発明のキャスターのストッパー装置によって、ロッキングキーがストッパーホイールから上昇した状態を示した構成図であり、図５は、図４の要部拡大図である。図６は、本発明のキャスターのストッパー装置によって、ロッキングキーがストッパーホイールに下降した状態を示した構成図であり、図７は、図６の要部拡大図である。
【００２４】
図示した通り、本発明のキャスターのストッパー装置は、キャスター１１のホイール軸１２に下段が結合されて、一側面にガイド孔１３が通孔されたブラケット１０と、前記ブラケット１０に結合するキャスター１１のホイール軸１２に結合されて、縁部に沿って放射状に多数のストップギア突起２１が形成されたストッパーホイール２０と、前記ブラケット１０のガイド孔１３に貫通連結する締結ボルト３１により締結されて、ブラケット１０とキャスター１１との間に位置し、前記ストッパーホイール２０のストップギア突起２１と対応するロッキング片３２が下段に形成されたロッキングキー３０と、前記ブラケット１０の外面側に位置し、締結ピン４１により締結されて、前記ブラケット１０のガイド孔１３に貫通締結された締結ボルト３１が引き込まれる引込孔４２が形成され、前記ロッキングキー３０と連結した締結ボルト３１を上下移動させてロッキングキーを昇降させるロッキング部４０が含まれて形成される。
【００２５】
前記ブラケット１０は、通常のキャスター１１の外部を覆いキャスター１１を移送手段の下部と連結する手段であり、本発明のキャスターのストッパー装置では、前記ブラケット１０の一側面にガイド孔１３がさらに通孔されて形成される。
【００２６】
また、前記ガイド孔１３は、前記ロッキングキー３０を締結する締結ボルト３１が上下移動することを可能にするために、前記ブラケット１０の一側面に対し上部から下部側に長く延びた長形で形成されることが望ましい。
【００２７】
前記ストッパーホイール２０は、前記ホイール軸１２に軸装されるキャスター１１の一面に配設され、前記キャスター１１と一体型で形成される。又は、前記ホイール軸１２に軸装されるキャスター１１の一面に配設され、前記キャスター１１が設けられたホイール軸１２に結合する分離型で形成される。
【００２８】
前記ストッパーホイール２０の縁部に沿って放射状に多数形成されるストップギア突起２１は、本発明のキャスターのストッパー装置の核心的な構成の一つであり、多数のストップギア突起２１の間の空間に、前記ロッキングキー３０のロッキング片３２が引き込まれ、又は離脱して、キャスター１１の制動及び解除が行われる。
【００２９】
前記ロッキングキー３０は、前記ロッキング部４０を使用者が押圧することによって、前記ストッパーホイール２０に下降し、又はストッパーホイール２０から上昇して、ストッパーホイール２０の転がり動作を制動することによって、実質的なキャスター１１の転がり動作を制動するものであり、前記ロッキング部４０を足で踏むと、図６及び図７に図示されるように、前記ブラケット１０のガイド孔１３と前記ロッキング部４０の引込孔４２共に貫通して締結された前記ロッキングキー３０の締結ボルト３１が押圧されて下降する。
【００３０】
このように締結ボルト３１がロッキング部４０を押圧する動作によって下降すると、前記締結ボルト３１により締結されている前記ロッキングキー３０が下降して、ロッキングキー３０の下部側に配設されている前記ストッパーホイール２０のストップギア突起２１の間の空間に、前記ロッキングキー３０の下段側ロッキング片３２が挟まれることによって、ストッパーホイール２０の回転を制動するだけでなく、ストッパーホイール２０が軸装されたホイール軸１２に軸装されているキャスター１１の転がり動作を停止させて制動する。
【００３１】
また、押圧されたロッキング部４０を図４及び図５に示すように上昇させると、前記ロッキング部４０の引込孔４２に沿って前記ロッキングキー３０の締結ボルト３１が上昇し、ロッキングキー３０がストッパーホイール２０から上昇する。
【００３２】
それにより、前記ストッパーホイール２０のストップギア突起２１の間に引き込まれていた前記ロッキングキー３０のロッキング片３２がストップギア突起２１の間の空間から離れて、ストッパーホイール２０の制動力が解除される。
【００３３】
このようにロッキングキー３０のロッキング片３２が、上昇又は下降することにより、ストッパーホイール２０のストップギア突起２１の間の空間に引き込まれ又は離れることによって、キャスター１１の転がり動作が制動、解除される。そのため、制動時のキャスターが転がって行く又は流動される現象を防止でき、強力な制動が可能であるため、停止した機械装置や乳母車、手押し車等の移送手段が移動することによって引き起こされ得る事故を防止することができる。
【００３４】
前記ブラケット１０の一面には、ロッキング溝１４とアンロッキング溝１５がさらに形成され、
前記ロッキング部４０には、このロッキング部４０の回転による上下移動によって、前記ロッキング溝１４又はアンロッキング溝１５に引き込まれるボール４３と、前記ボール４３を支持するスプリング４４と、前記スプリング４４の張力を調節する調節ボルト４５と、前記ボール４３、スプリング４４、及び調節ボルト４５が引き込まれて収容される受け入れ部４６がさらに形成される。
【００３５】
前記ブラケット１０の一面に各々形成されたロッキング溝１４とアンロッキング溝１５には、
前記ロッキングキー３０の上昇又は下降動作時に、押圧され又は押圧が解除される前記ロッキング部４０の位置を強力に支持して固定すると共に、キャスター１１の制動時に押圧したロッキング部４０が、人為的な力を加えない状態で持ち上がることを防止する。また、前記調節ボルト４５を締めたり緩めたりすることで、前記スプリング４４の張力を調節して、スプリング４４によって押圧支持される前記ボール４３の強弱を調節する。
【００３６】
本発明は、多様に変形実施が可能になるものである。本発明の望ましい実施例を挙げて説明したが、本発明はこのような実施例に限定されるものではなく、前記実施例を既存の公示技術と単純に組み合わせ適用した実施例と共に、本発明の特許請求の範囲と発明の詳細な説明で、本発明が属する技術分野における当業者が変形して利用できる技術は、本発明の技術範囲に当然含まれると見なすべきである。
【図１】
0005766693.tif 000002
【図２】
0005766693.tif 000003
【図３】
0005766693.tif 000004
【図４】
0005766693.tif 000005
【図５】
0005766693.tif 000006
【図６】
0005766693.tif 000007
【図７】
0005766693.tif 000008